(57)【要約】【課題】  本発明は、携帯端末を用いて金融機関等の店舗に設置された現金自動取引装置との取引きをより安全にし、また取引き操作を簡略化する。【解決手段】  携帯端末内蔵ＩＣチップの記憶エリアには暗証番号を格納せず、キャッシュカード相当の情報と出金金額等の取引き情報のみを格納し、本人確認の暗証番号入力は現金自動取引装置から行うことを特徴とする。また、取引きを行うための暗証番号とは別に携帯端末内蔵ＩＣチップの記憶エリアの取引き情報を現金自動取引装置の非接触ＩＣ通信部より読取りができるようにするための暗証番号を設けられるようにし、取引き前に暗証番号を入力し、携帯端末内蔵ＩＣチップの記憶エリアの取引き情報を現金自動取引装置の非接触ＩＣ通信部より読取りができる状態にする。【選択図】図１
2008040777.tif 000002
【特許請求の範囲】
【請求項１】
記憶領域と非接触通信機能を有するＩＣチップを内蔵する携帯端末と、非接触通信機能を有する現金自動取引装置とを用いた取引方法であって、
前記携帯端末に内蔵されたＩＣチップの記憶領域には、金融機関識別番号と口座番号とを含むキャッシュカード相当の情報と、出金金額等の取引き情報とを格納することを特徴とした取引き方法。
【請求項２】
現金自動取引装置を用いた取引方法であって、
携帯端末の内蔵ＩＣチップの非接触通信部を現金自動取引装置の非接触ＩＣ通信部に翳し、現金自動取引装置の非接触ＩＣ通信部は携帯端末の内蔵ＩＣチップの記憶領域に格納されたキャッシュカード相当の情報と取引き情報を読取ることを特徴とした取引き方法。
【請求項３】
請求項２に記載の取引方法であって、
前記キャッシュカード相当の情報は金融機関識別番号と口座番号とを含むことを特徴とした取引方法。
【請求項４】
請求項２または３に記載の取引方法であって、
取引時に現金自動取引装置の操作部より第１の暗証番号を入力することを特徴とした取引方法。
【請求項５】
請求項１〜４のいずれかに記載の取引方法であって、
前記携帯端末に内蔵されたＩＣチップの記憶領域の取引き情報を、第２の暗証番号の入力によって、現金自動取引装置の非接触ＩＣ通信部より読取可能としたことを特徴とする取引方法。
【発明の詳細な説明】
【技術分野】
【０００１】
本発明は、携帯端末を用いた、金融機関等の店舗に設置された現金自動取引装置との取引方法に関する。
【背景技術】
【０００２】
従来、金融機関での取引は、主に店舗等に設置された現金自動取引装置（ＡＴＭ）を顧客が操作することによって行われる場合が多いが、近年の携帯電話等の携帯端末の多機能化に伴い、これら携帯端末を用いて現金自動取引装置の操作をサポートする方法が提案されている。
【０００３】
特許文献１（特開２００１−２９７１９８号公報）では、携帯電話の入力手段を用いて銀行口座に係る暗証番号及び現金自動取引装置における金融処理に係る情報を携帯電話に入力した後、携帯電話内蔵のＩＣチップに書込み、データ転送手段を介して携帯電話のＩＣチップから先ほどの入力情報を現金自動取引装置へ転送し、現金自動取引装置は転送された入力情報に基づいて銀行口座に係る金融処理を実行している。
【０００４】
【特許文献１】特開２００１−２９７１９８号公報
【発明の開示】
【発明が解決しようとする課題】
【０００５】
しかしながら、上述した従来の技術においては、携帯電話内蔵のＩＣチップに書込まれた銀行口座に係る暗証番号及び現金自動取引装置における金融処理に係る情報がその時の１回だけ有効なのか、取引き以降も有効なのか不明である。例えば、携帯電話内蔵のＩＣチップに書込まれた銀行口座に係る暗証番号及び現金自動取引装置における金融処理に係る情報がその時の１回だけ有効であったとした場合、携帯電話を用いた現金自動取引装置による取引きを行う際、毎回入力しなければならず、わずらわしいという問題がある。
【０００６】
反対に携帯電話内蔵のＩＣチップに書込まれた銀行口座に係る暗証番号及び現金自動取引装置における金融処理に係る情報が取引き以降も有効であったとした場合、仮に前回の取引きが出金処理であり、この携帯電話を紛失、窃盗等で他人が手にしたとき、銀行口座に係る暗証番号及び現金自動取引装置における金融処理に係る情報を現金自動取引装置へ転送するだけで本人確認をすることなく、簡単に出金できてしまうという問題がある。
【課題を解決するための手段】
【０００７】
本発明は、上記の問題点を解決するために、携帯端末内蔵ＩＣチップの記憶エリアには暗証番号を格納せず、キャッシュカード相当の情報と出金金額等の取引き情報のみを格納し、本人確認である暗証番号の入力は現金自動取引装置により入力し、取引きを行うことを特徴とする。また、上記取引きを行うための暗証番号とは別に携帯端末内蔵ＩＣチップの記憶エリアの取引き情報を現金自動取引装置の非接触ＩＣ通信部より読取りができるようにするための暗証番号を設けられるようにし、取引き前に携帯端末内蔵ＩＣチップの記憶エリアの取引き情報を現金自動取引装置の非接触ＩＣ通信部より読取りができるようにするために暗証番号を入力し、携帯端末内蔵ＩＣチップの記憶エリアの取引き情報を現金自動取引装置の非接触ＩＣ通信部より読取りができる状態にした後、携帯端末のＩＣチップの非接触通信部を現金自動取引装置の非接触ＩＣ通信部に翳すことで現金自動取引装置の非接触ＩＣ通信部は携帯端末のＩＣチップの記憶エリアに格納された取引き情報を読取ることを特徴とする。
【発明の効果】
【０００８】
このように本発明は、現金自動取引装置での携帯端末を使用した取引きにおいて、本人確認情報である暗証番号を携帯端末内蔵ＩＣチップに格納せず、取引き時に現金自動取引装置に入力することで、不正使用を予防することができる。更に上記取引きを行うための暗証番号とは別に携帯端末内蔵ＩＣチップの記憶エリアの取引き情報を現金自動取引装置の非接触ＩＣ通信部より読取りができるようにするための暗証番号を設けることで二重に予防措置を行うことが可能となる。
【０００９】
また、安全性が増すことで不正使用が予防できるため、携帯端末内蔵ＩＣチップに常時取引き情報を格納しておくことで、現金自動取引装置を使った取引き時携帯端末を翳すことで取引きが可能となり、取引き操作を簡略化することが可能となる。
【発明を実施するための最良の形態】
【００１０】
以下に本発明の実施の形態を図２、図３、図４に基づいて説明する。図２は実施例の取引き方法の現金自動取引装置と携帯端末を示す図、図３は実施例の取引き方法の現金自動取引装置を示すブロック図、図４は実施例の取引き方法の携帯端末を示すブロック図である。
【００１１】
図２、図３において、１は銀行等の金融機関、コンビニエンスストア等の店舗に設置され、利用者との間で現金の取引きを自動で行う現金自動取引装置である。２は現金自動取引装置１と金融機関等のセンタに設置されたホストコンピュータやサーバと専用回線や電話回線等の通信回線を介して接続し、データ通信の制御を行う通信部である。３は現金自動取引装置１の制御部であり、表示部６や操作部７等の制御を行う。
【００１２】
４は記憶部であり、制御部３が実行するプログラムや各種データ等が格納される。５は非接触ＩＣ通信部であり、ＩＳＯ／ＩＥＣ１４４４３タイプＡやＢ、ＦｅｌｉＣａと言った技術で接触せずにデータのやり取りを行うことができる。６は表示部であり、ＬＣＤ等からなり、取引き選択画面や入力画面等の表示を行う。７は操作部であり、タッチパネル等からなり、取引きの選択や取引き金額等の入力を受け付ける。８は通帳制御部で、通帳の取込み、印字、ページめくり、排出等の一連の処理を行う。
【００１３】
９はカード制御部で、キャッシュカードやクレジットカードの取込み、磁気ストライプに記録されている情報やＩＣチップに格納されている情報の読取り、排出等の一連の処理を行う。１０は紙幣制御部であり、利用者等によって投入された紙幣を受入れ、枚数の集計、真贋判定、利用者への排出を行う。１１は硬貨制御部であり、利用者等によって投入された硬貨を受入れ、枚数の集計、真贋判定、利用者への排出を行う。
【００１４】
図２、図４において、１２は携帯電話やＰＤＡ等の携帯端末であり、インターネットへの接続ができるものもある。１３は携帯端末１２の制御部であり、記憶部１４に格納されたアプリケーションプログラムを実行したり、表示部２０や入力部２１の制御を行う。１４は記憶部であり、アプリケーションプログラムを格納したり、電話番号やメールアドレスなどを格納する。ＩＣチップ１５は記憶エリア１６と非接触通信部１７からなり、自身の制御、非接触通信部１７の制御を行う。
【００１５】
記憶エリア１６は金融機関コード、口座番号等のキャッシュカード相当の情報や取引き情報を格納する。また、電子マネー情報、乗車券情報等も格納する。非接触通信部１７はＩＳＯ／ＩＥＣ１４４４３タイプＡやＢ、ＦｅｌｉＣａと言った技術で接触せずにデータ通信を行う。１８は通信部であり、無線ＬＡＮや携帯電話網を介して通信を行う。１９は通話部であり、携帯電話の場合、通話のためのスピーカやマイクから構成される。２０は表示部であり、電話番号やメールアドレス、ホームページ等を表示する。２１は電話番号や取引きの選択、取引き金額等の入力を受け付ける。
【実施例１】
【００１６】
本発明の取引き方法の現金自動取引装置と携帯端末の取引き処理を示すフローチャートである図１に基づいて詳細に説明する。本実施例は携帯端末１２の内蔵ＩＣチップ１５の記憶エリア１６内の取引き情報を現金自動取引装置１の非接触ＩＣ通信部５に読取りができるようにするために暗証番号を入力するように設定されているものとして説明を行う。
【００１７】
現金自動取引装置を使った取引きを行う場合、利用者は携帯端末１２の記憶部１４に格納された取引きアプリケーションを起動する（Ｓ１０１）。アプリケーションが起動された後、出金や振込みと言った実際に行う取引きを選択する（Ｓ１０２）。実際に行う取引き選択したら、携帯端末１２の内蔵ＩＣチップ１５の記憶エリア１６内の取引き情報を現金自動取引装置１の非接触ＩＣ通信部５に読取りができるようにするための暗証番号を入力する（Ｓ１０３）。暗証番号を入力することで携帯端末１２の内蔵ＩＣチップ１５の記憶エリア１６内の取引き情報を現金自動取引装置１の非接触ＩＣ通信部５で読取りができるようになる。
【００１８】
現金自動取引装置１は対人センサ等によって利用者を検知すると取引き選択画面を表示し、非接触ＩＣ通信部５を起動する（Ｓ１０４）。この状態で携帯端末１２の内蔵ＩＣチップ１５部を現金自動取引装置１の非接触ＩＣ通信部５に翳すことで、現金自動取引装置１の非接触ＩＣ通信部５は携帯端末１２の内蔵ＩＣチップ１５の記憶エリア１６内のキャッシュカード相当の情報と取引き情報を読取る（Ｓ１０５）。キャッシュカード相当の情報と取引き情報を読取った現金自動取引装置１は暗証番号の入力を催促し、利用者は現金自動取引装置１の操作部７より暗証番号を入力する（Ｓ１０６）。
【００１９】
現金自動取引装置１は読取ったキャッシュカード相当の情報と入力された暗証番号を通信部２を介してホストコンピュータまたはサーバへ照合し、問題なければ、取引き内容を表示部６に表示する（Ｓ１０７）。現金自動取引装置１は取引き内容を確認し（Ｓ１０８）、利用者が問題なしとすれば、現金自動取引装置１は取引き処理を実行する（Ｓ１０９）。処理の正常終了を示す正常取引き表示を表示部６に行う（Ｓ１１０）。利用者は携帯端末のアプリケーションを終了し（Ｓ１１１）、一連の処理が終了する。
【００２０】
次に、自動取引き方法の携帯端末１２内蔵ＩＣチップ１５への取引き情報の登録処理について、登録処理を示すフローチャートである図５に基づいて詳細に説明する。本実施例では、取引きの種別として、出金と振込みの２種類で説明を行う。取引き情報を登録するには取引きアプリケーションを起動する（Ｓ２０１）。その後、出金、振込み等の取引き種別を選択する（Ｓ２０２）。振込みが選択された場合、振込先金融機関名の入力（Ｓ２０３）、本・支店名の入力（Ｓ２０４）、振込先の口座の種類や口座番号等の口座情報を入力（Ｓ２０５）、振込先口座の名義人名の入力（Ｓ２０６）、振込み金額の入力（Ｓ２０７）を行い、振込み情報の入力が終了する。
【００２１】
取引き種別の出金が選択された場合、出金金額の入力を行い（Ｓ２０８）、出金情報の入力が終了する。取引き情報の入力をし終えたら、現金自動取引装置１の非接触ＩＣ通信部５での携帯端末１２の内蔵ＩＣチップ１５の記憶エリア１６内の取引き情報の読取り許可の暗証番号の設定の選択を行う（Ｓ２０９）。設定をありにした場合のみ暗証番号の入力を行う（Ｓ２１０）。全ての取引き情報の入力をし終えたら、入力した取引き情報を携帯端末１２の内蔵ＩＣチップ１５の記憶エリア１６に格納する（Ｓ２１１）。登録が終了したら、アプリケーションを終了する（Ｓ２１２）。
【実施例２】
【００２２】
実施例２では、携帯端末１２の内蔵ＩＣチップ１５の記憶エリア１６内の取引き情報を現金自動取引装置１の非接触ＩＣ通信部５が読取りできるようにするための暗証番号の設定がされていない場合の説明を行う。本発明の取引き方法の現金自動取引装置と携帯端末の取引き処理を示すフローチャートである図６に基づいて詳細に説明する。
【００２３】
現金自動取引装置を使った取引きを行う場合、利用者は携帯端末１２の記憶部１４に格納された取引きアプリケーションを起動する必要はなく、現金自動取引装置１に近づくことで、現金自動取引装置１は対人センサ等によって利用者を検知し、取引き選択画面を表示し、非接触ＩＣ通信部５を起動する（Ｓ３０１）。この状態で携帯端末１２の内蔵ＩＣチップ１５部を現金自動取引装置１の非接触ＩＣ通信部５に翳すことで、現金自動取引装置１の非接触ＩＣ通信部５は携帯端末１２の内蔵ＩＣチップ１５の記憶エリア１６内のキャッシュカード相当の情報と取引き情報を読取る（Ｓ３０２）。
【００２４】
キャッシュカード相当の情報と取引き情報を読取った現金自動取引装置１は読取った取引き情報が複数あるか判定し（Ｓ３０３）、取引き情報が複数ない場合、暗証番号の入力を催促する。取引き情報が複数ある場合、取引き種別の選択画面を表示する（Ｓ３０４）。利用者により取引きが種別が選択される（Ｓ３０５）と暗証番号の入力を催促する。利用者は現金自動取引装置１の操作部７より暗証番号を入力する（Ｓ３０６）。
【００２５】
現金自動取引装置１は読取ったキャッシュカード相当の情報と入力された暗証番号を通信部２を介してホストコンピュータまたはサーバへ照合し、問題なければ、取引き内容を表示部６に表示する（Ｓ３０７）。現金自動取引装置１は取引き内容を確認し（Ｓ３０８）、利用者が問題なしとすれば、現金自動取引装置１は取引き処理を実行する（Ｓ３０９）。処理の正常終了を示す正常取引き表示を表示部６に行いう（Ｓ３１０）、一連の処理が終了する。
【図面の簡単な説明】
【００２６】
【図１】本願発明の取引き処理を示すフローチャート
【図２】本願発明の現金自動取引装置と携帯端末を示す図
【図３】本願発明の現金自動取引装置を示すブロック図
【図４】本願発明の携帯端末を示すブロック図
【図５】本願発明の登録処理を示すフローチャート
【図６】本願発明の取引き処理を示すフローチャート
【符号の説明】
【００２７】
１・・・現金自動取引装置、２・・・現金自動取引装置の通信部、３・・・現金自動取引装置の制御部、  ４・・・現金自動取引装置の記憶部、５・・・非接触ＩＣ通信部、６・・・現金自動取引装置の表示部、  ７・・・操作部、８・・・通帳制御部、９・・・カード制御部、１０・・・紙幣制御部、１１・・・硬貨制御部、１２・・・携帯端末、１３・・・携帯端末の制御部、１４・・・携帯端末の記憶部、１５・・・ＩＣチップ、１６・・・ＩＣチップの記憶エリア、１７・・・ＩＣチップの非接触通信部、１８・・・携帯端末の通信部、１９・・・通話部、２０・・・携帯端末の表示部、２１・・・入力部
【図１】
2008040777.tif 000003
【図２】
2008040777.tif 000004
【図３】
2008040777.tif 000005
【図４】
2008040777.tif 000006
【図５】
2008040777.tif 000007
【図６】
2008040777.tif 000008